(57)【要約】 【課題】  上下方向の寸法が大きくなることを防ぐリテーナ付のコネクタを提供することを目的とする。【解決手段】  サブコネクタ３０のコネクタハウジング３１には、その底面および底面を挟む一対の側面を３方向に開放するように、リテーナ３２が装着されるリテーナ装着孔３１ｂが形成されている。コネクタハウジング３１のリテーナ装着孔３１ｂの後方部には、互いに分離した本係止突部３１ｃおよび仮係止突部３１ｄが形成され、リテーナ３２にはガイド孔３２ａが形成されている。リテーナ３２の仮係止状態において、ガイド孔３２ａは本係止突部３１ｃおよび仮係止突部３１ｄと係合し、その後本係止状態になると仮係止突部３１ｄとの係合が外れ、本係止突部３１ｃとのみ係合する。コネクタハウジング３１の側面上において、リテーナ装着孔３１ｂの前方部には、側方に突出したロック部３１ｅが形成され、リテーナ３２の本係止状態において、リテーナ３２に形成された貫通孔であるロック受部３２ｂがロック部３１ｅに係合する。【選択図】  図１
2005079017.tif 000002
【特許請求の範囲】
【請求項１】
雌雄の一側の端子金具を収容するために前後方向に延びたキャビティを有し、雌雄の他側の端子金具を収容した相手側コネクタと嵌合するとともに、その外周面から前記キャビティ内に到達するように形成され、前記外周面の内の一面とそれを挟んだ一対の側面の３方に開口するリテーナ装着孔と、前記側面の前記リテーナ装着孔の後方部に形成されたガイド突部とを有するコネクタハウジングと、
ガイド孔を有し、前記ガイド孔を前記ガイド突部に係合させながら移動させ、前記リテーナ装着孔に装着されるとともに、前記キャビティ内に突出して前記端子金具と係止することにより、前記端子金具の前記キャビティからの抜け止めを行うリテーナを備えたコネクタにおいて、
前記コネクタハウジングには前記側面の前記リテーナ装着孔の前方部にロック部が形成され、前記リテーナには前記リテーナ装着孔に装着された状態において、前記ロック部と係合して前記リテーナ装着孔から抜け出ることを防止するロック受部が形成されたことを特徴とするコネクタ。
【請求項２】
前記ガイド突部は互いに分離された本係止突部および仮係止突部とによって構成され、前記リテーナは前記リテーナ装着孔への装着のための移動開始後、前記ガイド孔が前記本係止突部および仮係止突部の双方に係合して仮係止状態に至り、その後、前記仮係止突部との係合が外れ、前記本係止突部とのみ係合して本係止状態に至ることで前記リテーナ装着孔への装着が行われることを特徴とする請求項１記載のコネクタ。
【請求項３】
前記ロック部は前記側面から突出しているとともに、その下方部には斜面が形成され、前記ロック受部は前記リテーナの側面に形成された貫通孔によって形成され、更に、前記貫通孔の直上部には前記ロック部に形成された斜面と対応する傾斜面が形成されており、前記リテーナの仮係止状態においては前記ロック部の斜面と前記ロック受部の傾斜面とが係合した状態となり、前記ロック受部の傾斜面が前記ロック部の斜面を乗り上げて、前記貫通孔が前記ロック部に係合することにより前記本係止状態となることを特徴とする請求項２記載のコネクタ。
【発明の詳細な説明】
【技術分野】
【０００１】
本発明は、端子金具の抜け止めを行うリテーナを備えたコネクタに関する。
【背景技術】
【０００２】
コネクタに関する従来技術として、図１７および図１８に示すようにコネクタハウジング１０１に、その底面およびそれに連結した一対の側面を開放するリテーナ装着孔１０１ａを形成し、リテーナ１０２をリテーナ装着孔１０１ａに嵌合させることによって、コネクタハウジング１０１のキャビティ内に突出させ、端子金具の抜け止めを行っているコネクタ１００があった（例えば、特許文献１参照）。
【特許文献１】特許第３４１５１３６号公報（第１図）
【０００３】
しかしながら、上述した従来技術においては、コネクタハウジング１０１に形成され、リテーナ１０２に形成されたロック爪１０２ａと係合するロック片１０１ｂが、側面上において、リテーナ挿着孔１０１ａの上方に形成されているため、コネクタハウジング１０１の上下方向の寸法が大型化し、コネクタ１００自体の上下方向の寸法も大型化している。コネクタ１００を例えば車輌に取り付ける場合、ボデー部品に形成された貫通孔に端子金具が収容されたコネクタ１００を挿通させる場合があり、この時、コネクタ１００の上下方向の寸法によって、ボデー部品の貫通孔の大きさが拘束されるため、コネクタ１００の上下方向の寸法が大きくなることで貫通孔も大型化し、車輌設計上の課題となっている。
【発明の開示】
【発明が解決しようとする課題】
【０００４】
本発明は上記のような事情に基づいて完成されたものであって、上下方向の寸法が大きくなることを防ぐリテーナ付のコネクタを提供することを目的とする。
【課題を解決するための手段】
【０００５】
上述の目的を達成するための手段として、請求項１の発明は、雌雄の一側の端子金具を収容するために前後方向に延びたキャビティを有し、雌雄の他側の端子金具を収容した相手側コネクタと嵌合するとともに、その外周面から前記キャビティ内に到達するように形成され、前記外周面の内の一面とそれを挟んだ一対の側面の３方に開口するリテーナ装着孔と、前記側面の前記リテーナ装着孔の後方部に形成されたガイド突部とを有するコネクタハウジングと、ガイド孔を有し、前記ガイド孔を前記ガイド突部に係合させながら移動させ、前記リテーナ装着孔に装着されるとともに、前記キャビティ内に突出して前記端子金具と係止することにより、前記端子金具の前記キャビティからの抜け止めを行うリテーナを備えたコネクタにおいて、前記コネクタハウジングには前記側面の前記リテーナ装着孔の前方部にロック部が形成され、前記リテーナには前記リテーナ装着孔に装着された状態において、前記ロック部と係合して前記リテーナ装着孔から抜け出ることを防止するロック受部が形成されたことを特徴とするコネクタとした。
【０００６】
請求項２の発明は、前記ガイド突部は互いに分離された本係止突部および仮係止突部とによって構成され、前記リテーナは前記リテーナ装着孔への装着のための移動開始後、前記ガイド孔が前記本係止突部および仮係止突部の双方に係合して仮係止状態に至り、その後、前記仮係止突部との係合が外れ、前記本係止突部とのみ係合して本係止状態に至ることで前記リテーナ装着孔への装着が行われることを特徴とする請求項１記載のコネクタとした。
【０００７】
請求項３の発明は、前記ロック部は前記側面から突出しているとともに、その下方部には斜面が形成され、前記ロック受部は前記リテーナの側面に形成された貫通孔によって形成され、更に、前記貫通孔の直上部には前記ロック部に形成された斜面と対応する傾斜面が形成されており、前記リテーナの仮係止状態においては前記ロック部の斜面と前記ロック受部の傾斜面とが係合した状態となり、前記ロック受部の傾斜面が前記ロック部の斜面を乗り上げて、前記貫通孔が前記ロック部に係合することにより前記本係止状態となることを特徴とする請求項２記載のコネクタとした。
【発明の効果】
【０００８】
＜請求項１の発明＞
コネクタハウジングには側面のリテーナ装着孔の前方部にロック部が形成されたことにより、ロック部の形成によってコネクタハウジングの上下方向の寸法が大きくなることがなく、コネクタの搭載を容易にすることができる。
【０００９】
＜請求項２の発明＞
コネクタハウジングとリテーナとが本係止状態になる前に、ガイド孔が本係止突部および仮係止突部の双方に係合して仮係止状態になることにより、運搬に都合のよい双方が分離しないような状態とすることができる。
【００１０】
＜請求項３の発明＞
仮係止状態において、コネクタハウジングのロック部の斜面とリテーナのロック受部の傾斜面とが係合した状態となることにより、仮係止状態においてリテーナがコネクタハウジングに安定した姿勢で保持される。
【発明を実施するための最良の形態】
【００１１】
本発明の実施形態を図１乃至図１６によって説明する。最初に図１〜図７に基づいて、本発明のコネクタに該当するサブコネクタ２０、３０について説明する。尚、図４は、リテーナ３２の図５に示した側と反対側にある側面の内側（一部、断面を含む）を示している。以下において、サブコネクタ３０は図１の左方をその前方部とし、サブコネクタ２０および３０を含む雌コネクタ１０は、図１０の左方をその前方部とし、相手側コネクタである雄コネクタ４０は、図１４の右方をその前方部とする。サブコネクタ２０、３０は、図１１に示したフレーム１１の小収容室１６ａ、１６ｂ内に収容されるリテーナ付コネクタであって、サブコネクタ２０とサブコネクタ３０は、それぞれ収容される雌側端子金具ＴＦの数が６個と８個である点のみが異なるため、以下サブコネクタ３０を中心に説明する。
【００１２】
サブコネクタ３０は、図１において実線にてリテーナ３２がコネクタハウジング３１に完全装着された状態（本係止状態）を示し、２点鎖線にてリテーナ３２がコネクタハウジング３１に仮装着された状態（仮係止状態）を示している。尚、コネクタハウジング３１およびリテーナ３２はいずれも、合成樹脂材料によって形成されている。サブコネクタ３０のコネクタハウジング３１は、内部に雌側端子金具ＴＦを収容する複数の前後方向に延びたキャビティ３１ａが形成され（図６示）、その外周面の内、底面およびそれを挟んだ一対の側面の３方に開口し、キャビティ３１ａに到達するようにリテーナ装着孔３１ｂが設けられている。
【００１３】
コネクタハウジングの両側面上において、リテーナ装着孔３１ｂの後方部には、互いに分離された本係止突部３１ｃおよび仮係止突部３１ｄとが形成されている。本係止突部３１ｃおよび仮係止突部３１ｄは本発明のガイド突部を構成する。本係止突部３１ｃはコネクタハウジング３１の側面上に傾斜して延びているとともに、側面上から側方に突出しており（図３示）、その下方部には斜面３１ｃ１が形成されている。また、仮係止突部３１ｄもコネクタハウジング３１の側面上から側方に突出しており、その前後部には一対の斜面３１ｄ１、３１ｄ２が形成されている。
【００１４】
コネクタハウジング３１の両側面において、リテーナ装着孔３１ｂの前方部には、その後端部がリテーナ装着孔３１ｂの前縁に接するように、ロック部３１ｅが形成されている。図３に示すように、ロック部３１ｅはコネクタハウジング３１の両側面上から側方に突出しており、その下方部には下方から上方に向けて立ち上がる斜面３１ｅ１が形成されている。また、コネクタハウジング３１の両側面の上端部からは、それぞれフランジ３１ｆが突出している。
【００１５】
また、コネクタハウジング３１の一方の側面の前方部には、係止突部３１ｇが突出しており、他方の側面の前方部にはロック突部３１ｈが突出している。ロック突部３１ｈの前方部には、後方に向けて立ち上がる斜面３１ｈ１が形成されている（図９示）。更に、図６に示すように、コネクタハウジング３１の各キャビティ３１ａ内には、雌側端子金具ＴＦの抜止めを行うランス３１ｉが設けられ、コネクタハウジング３１の前壁には、各キャビティ３１ａに対応して相手側コネクタのタブ挿入孔３１ｊが形成されている。
【００１６】
一方、サブコネクタ３０のリテーナ３２は、一対の側面とそれらを連結する底面とで形成され（図４および図５には側面のみ示す）、図１に示すように、その両側面には斜めに延びるガイド孔３２ａと左上方部に水平に延びたロック受部３２ｂとが形成されている。ガイド孔３２ａおよびロック受部３２ｂはともに側面を貫通する孔にて構成され、それぞれコネクタハクジング３１の本係止突部３１ｃ、仮係止突部３１ｄおよびロック部３１ｅと係合する。ガイド孔３２ａの下方部にはリテーナ３２の側面の剛性を低減して、撓み可能にするためのスリット３２ｃがガイド孔３２ａにほぼ平行に形成されている。
【００１７】
ロック受部３２ｂの貫通孔の直上部には、上述したコネクタハウジング３１のロック部３１ｅに形成された斜面３１ｅ１と係合する傾斜面３２ｂ１が設けられている（図５示）。傾斜面３２ｂ１と斜面３１ｅ１は、互いに係合可能なように同じ傾斜角度に設定することが望ましいが、双方の角度が異なっていても可能である。更に、コネクタハウジング３１に装着された時に、キャビティ３１ａ内に進入するリテーナ３２の部位には、下壁部３２ｄ、３２ｅが２段に設けられ、その前端部にはそれぞれ係止部３２ｄ１、３２ｅ１が形成されている（図４示）。
【００１８】
サブコネクタ３０の複数のキャビティ３１ａ内に、電線Ｗが接続される雌側端子金具ＴＦが収容された状態（図６示）で、リテーナ３２が図１において、コネクタハウジング３１の下方から係合し、斜面３１ｃ１および３１ｄ１をそれぞれ乗り上げることにより、ガイド孔３２ａが本係止突部３１ｃおよび仮係止突部３１ｄの双方に係合し、リテーナ３２のコネクタハウジング３１に対する仮係止状態となる。この時、リテーナ３２のロック受部３２ｂの上方部にある傾斜面３２ｂ１がコネクタハウジング３１のロック部３１ｅに形成された斜面３１ｅ１と係合する。図６に示すように、この状態ではリテーナ３２の係止部３２ｄ１、３２ｅ１は、雌側端子金具ＴＦと係合する位置にはなく、雌側端子金具ＴＦは抜き差し可能となっている。
【００１９】
この後、ガイド孔３２ａを本係止突部３１ｃに係合させながら、リテーナ３２が図１において、斜め左上方へ向けて移動することにより、斜面３１ｄ２を乗り上げて、ガイド孔３２ａと仮係止突部３１ｄとの係合が外れ、ガイド孔３２ａは本係止突部３１ｃのみと係合し、リテーナ３２のコネクタハウジング３１に対する本係止状態となり、リテーナ３２がリテーナ装着孔３１ｂに装着される。この時、ロック受部３２ｂの傾斜面３２ｂ１が、コネクタハウジング３１のロック部３１ｅに形成された斜面３１ｅ１を乗り上げた後、ロック受部３２ｂの貫通孔がロック部３１ｅに係合することにより、リテーナ３２がリテーナ装着孔３１ｂから抜け出ることを防止する。
【００２０】
本係止状態において、リテーナ３２の上端部はコネクタハウジング３１のフランジ３１ｆに当接している（図１１示）。図７に示すように、リテーナ３２の本係止状態において、リテーナ３２の係止部３２ｄ１、３２ｅ１がキャビティ３１ａ内に突出して雌側端子金具ＴＦと係合するため、雌側端子金具ＴＦのサブコネクタ３０からの抜け止めが行われる。
【００２１】
次に、図８〜図１２に基づいて、サブコネクタ２０、３０を含んだ雌コネクタ１０について説明する。雌コネクタ１０を構成するフレーム１１は合成樹脂材料によって形成され、左右の側面部１２、１２、上面部１３、底面部１４およびこれらの前方部にて連結した前面部１５を備え、その内部に収容室１６が形成されている。更に、収容室１６を２つの小収容室１６ａ、１６ｂに分割するように壁部１７が設けられている。サブコネクタ２０、３０の大きさに合わせて、壁部１７は収容室１６の中央よりも、図１１においてやや左寄りに形成され、図１１に示された小収容室１６ａの横幅よりも、小収容室１６ｂの横幅を大きく形成している。
【００２２】
フレーム１１の前面部１５には、相手側である雄側端子金具ＴＭのタブが挿通される複数のタブ挿通孔１５ａが形成されている。また、サブコネクタ２０、３０の外形状に合わせて、図８に示すように、側面部１２、１２および壁部１７には、それぞれ前方に行くにつれ小収容室１６ａ、１６ｂが狭まるように、段部１２ａ、１２ａおよび１７ａが形成されており、底面部１４にも同様に、小収容室１６ａ、１６ｂ内にそれぞれ段部１４ａが形成されている（図１０示）。更に、図９に２点鎖線にて示すように側面部１２には、段部１２ａよりも前方に、前後方向に延びる溝部１２ｂがそれぞれ形成されている。
【００２３】
尚、図１０に示すように、上面部１３の上方には係合片１９が形成され、係合片１９は、後述する相手側コネクタである雄コネクタ４０と係合する抜止部１９ａと、係合を解除するための解除部１９ｂを備えている。サブコネクタ２０は上述したフレーム１１の小収容室１６ａ内に収容され、一方、サブコネクタ３０は上述したフレーム１１の小収容室１６ｂ内に収容される。
【００２４】
サブコネクタ２０、３０を互いに隔離する壁部１７の前端部には、一対のロック片１８が一体に形成されている。ロック片１８のそれぞれには係合部１８ａが突出していることにより、図８に示すように上方から見て対称に形成されている。また、一対のロック片１８の間には、それぞれのロック片１８が撓み可能なように、撓み空間１８ｂが形成されている。図１２に示すように、フレーム１１の前面部１５には、ロック片１８を前方より見ることができるように、規制片挿入孔１５ｂが形成されている。規制片挿入孔１５ｂは、図に示すように、略十字形状をしている。
【００２５】
図９に示すように、フレーム１１の小収容室１６ｂ内にサブコネクタ３０を挿入する場合、コネクタハウジング３１の一方の側面部に形成された係止突部３１ｇが、フレーム１１の側面部１２に形成された溝部１２ｂと係合することで、サブコネクタ３０のガイドの機能を果たす。また、サブコネクタ３０のフレーム１１への挿入末期において、ロック片１８の係合部１８ａがコネクタハウジング３１のロック突部３１ｈの斜面３１ｈ１に乗り上げることにより、ロック片１８が撓み空間１８ｂ側へ撓む。サブコネクタ３０が小収容室１６ｂ内に正規に収容されると、ロック片１８が形状復帰して、係合部１８ａがロック突部３１ｈと係合することにより、サブコネクタ３０のフレーム１１からの抜け止めを行う。
【００２６】
次に、図１３〜図１６に基づいて、雌コネクタ１０の嵌合相手側である雄コネクタ４０について説明する。雄コネクタ４０は合成樹脂材料によって形成されたハウジング４１を備え、ハウジング４１の前端部には、雌コネクタ１０が嵌合するフード部４２が形成されている。また、フード部４２の後方には端子収容部４３が設けられ、端子収容部４３には、電線Ｗに接続される雄側端子金具ＴＭが収容される複数のキャビティ４４が形成されている。ハウジング４１には、上述したサブコネクタ２０、３０と同様にリテーナ４８が装着され、雄側端子金具ＴＭのハウジング４１からの抜け止めが図られる。
【００２７】
また、ハウジング４１の前端部には、上述した雌コネクタ１０の抜止部１９ａと係合して、雌雄のコネクタ１０、４０の外れを防止する係合突起４５が形成されている。更に、ハウジング４１の上面部、底面部および一側の側面部には、雄コネクタ４０を図示しない車輌のブラケットと係合させる取付突部４６ａ、４６ｂ、４６ｃがそれぞれ形成されている。
【００２８】
図１５に示すように、端子収容部４３の前端部からは、フード部４２内に向けて規制片４７が立設されている。規制片４７は、雌雄のコネクタ１０、４０が互いに嵌合した時に、上述したロック片１８に対応する位置に形成されている。規制片４７はフレーム１１の規制片挿入孔１５ｂに対応するように、上下方向に縦長に形成され、略中央部の両側面には凹部４７ａが設けられることにより、ロック片１８の撓み空間１８ｂに挿入可能な規制部４７ｂが形成されている。
【００２９】
次に、上述した雌コネクタ１０および雄コネクタ４０によって構成されるコネクタ装置１の組付方法について説明する。まず、ハウジング４１に雄側端子金具ＴＭを収容した後、リテーナ４８を装着する。サブコネクタ２０、３０を含んだ雌コネクタ１０を、前方より雄コネクタ４０のフード部４２に進入させていく。雌雄のコネクタ１０、４０の嵌合が進むと雌雄の端子金具ＴＦ、ＴＭが互いに嵌合するとともに、図１６に示すように、ハウジング４１に立設された規制片４７の規制部４７ｂが、フレーム１１の規制片挿入孔１５ｂを通ってロック片１８の間の撓み空間１８ｂ内に進入する。雌雄のコネクタ１０、４０の嵌合が更に進むと、ハウジング４１の係合突起４５がフレーム１１の抜止部１９ａと係合して嵌合が終了する。
【００３０】
雌雄のコネクタ１０、４０の嵌合が終了した状態で、サブコネクタ３０は、ロック突部３１ｈがロック片１８の係合部１８ａと係合してフレーム１１から抜け止めされている。この時、規制片４７の規制部４７ｂがロック片１８の撓み空間１８ｂ内に挿入されているため、各々のロック片１８は規制部４７ｂに規制されて、撓み空間１８ｂ内へ撓むことができなくなり、ロック突部３１ｈとの係合が解除されない。この状態で仮にサブコネクタ３０がこじられてもフレーム１１から抜けることがなく、十分な係合力が維持される。
【００３１】
本実施形態においては、コネクタハウジング３１の側面上のリテーナ装着孔３１ｂの前方部にロック部３１ｅが形成されたことにより、ロック部３１ｅの形成によってコネクタハウジング３１の上下方向の寸法が大きくなることがなく、サブコネクタ３０を車輌に形成された貫通孔に挿通させる場合、貫通孔を大きくする必要がなく、搭載を容易にすることができる。
【００３２】
また、コネクタハウジング３１とリテーナ３２とが本係止状態になる前に、ガイド孔３２ａが本係止突部３１ｃおよび仮係止突部３１ｄの双方に係合して仮係止状態になることにより、運搬に都合のよい、双方が分離しないような状態とすることができる。更に、仮係止状態において、コネクタハウジング３１のロック部３１ｅの斜面３１ｅ１とリテーナ３２のロック受部３２ｂの傾斜面３２ｂ１とが係合した状態となることにより、仮係止状態においてリテーナ３２がコネクタハウジング３１に安定した姿勢で保持される。
【００３３】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）本発明は、フレーム式のコネクタ以外のあらゆるタイプのコネクタに適用可能である。
（２）本発明は、雄側端子金具を収容するコネクタに適用してもよい。
（３）ロック部は、コネクタハウジングの側面上のリテーナ装着孔の前方部であれば、任意の位置に形成できる。
【図面の簡単な説明】
【００３４】
【図１】本発明の実施形態によるサブコネクタの側面図である。
【図２】図１に示したサブコネクタのコネクタハウジングの側面図である。
【図３】図２に示したコネクタハウジングに雌側端子金具を収容したところを示す背面図である。
【図４】図１に示したサブコネクタのリテーナの内側の側面図（一部、断面を含む）である。
【図５】図１に示したサブコネクタのコネクタハウジングおよびリテーナの斜視図である。
【図６】図１に示したサブコネクタにおけるリテーナの仮係止状態を示す側面図である。
【図７】図１に示したサブコネクタにおけるリテーナの本係止状態を示す側面図である。
【図８】図１に示したサブコネクタを収容するフレームの横断面図である。
【図９】図８に示したフレームにサブコネクタを収容するところを示す平面図である。
【図１０】図１に示したサブコネクタを含んだ雌コネクタの縦断面図である。
【図１１】図１０に示した雌コネクタの背面図である。
【図１２】図１０に示した雌コネクタの正面図である。
【図１３】雄コネクタの正面図である。
【図１４】雌コネクタと雄コネクタの縦断面図である。
【図１５】雌コネクタと雄コネクタの横断面図である。
【図１６】雌コネクタと雄コネクタが嵌合したところを示す横断面図である。
【図１７】従来技術によるサブコネクタの側面図である。
【図１８】図１７に示したサブコネクタのコネクタハウジングの側面図である
【符号の説明】
【００３５】
２０、３０…サブコネクタ
３１…コネクタハウジング
３１ａ…キャビティ
３１ｂ…リテーナ装着孔
３１ｃ…本係止突部
３１ｄ…仮係止突部
３１ｅ…ロック部
３１ｅ１…斜面
３２…リテーナ
３２ａ…ガイド孔
３２ｂ…ロック受部
３２ｂ１…傾斜面
ＴＦ…雌側端子金具
【図１】
2005079017.tif 000003
【図２】
2005079017.tif 000004
【図３】
2005079017.tif 000005
【図４】
2005079017.tif 000006
【図５】
2005079017.tif 000007
【図６】
2005079017.tif 000008
【図７】
2005079017.tif 000009
【図８】
2005079017.tif 000010
【図９】
2005079017.tif 000011
【図１０】
2005079017.tif 000012
【図１１】
2005079017.tif 000013
【図１２】
2005079017.tif 000014
【図１３】
2005079017.tif 000015
【図１４】
2005079017.tif 000016
【図１５】
2005079017.tif 000017
【図１６】
2005079017.tif 000018
【図１７】
2005079017.tif 000019
【図１８】
2005079017.tif 000020